(57)【特許請求の範囲】
【請求項１】
化粧品のアプリケータ（１）であり、
ａ）化粧品を入れるための容器（６０）のキャップ（２’）を形成する把持手段（２）、
ｂ）軸（１０）を有する軸ロッド（３）、
ｃ）化粧品の塗布手段（４）、
から成り、前記軸ロッド（３）がその上方部分（３０）で前記把持手段（２）と一体になっており、下方部分（３１）で前記塗布手段（４）と一体になっており、
前記塗布手段（４）が、軸ロッド（３）の下方部分（３１）で軸ロッド（３）と一体になっている軸芯（４０）と、該軸芯（４０）を通すことができる孔（５０）を中央に有しそれによって軸芯（４０）と協働する、Ｎ個のエレメントの集合体の束（４１）とを備え、該束（４１）が、軸方向の組立手段によって、軸方向に軸芯（４０）と一体になっているアプリケータであって、
１）前記軸芯（４０）および前記エレメントＥ（５）の集合体が、軸（１０）に直角な水平面（１１）における、軸（１０）に対するエレメントＥ（５）の角度方向を決定する手段と協働し、それにより、前記束（４１）におけるｉ列目の各エレメントＥi（５）（ｉは１からＮ）が回転しながら前記軸芯（４０）と一体になっており、軸芯（４０）に対して所定の角度方向αiを有し、
束の各エレメントＥiが、軸方向の組立手段と角度方向決定手段を形成するための、前記軸芯と協働する中央部分Ｃと、少量の化粧品を確実に取り出すことに適した周縁部分Ｐとを備えており、
束の少なくとも二つのエレメントＥが同一の中央部分Ｃも同一の周縁部分Ｐも有していないことを特徴とするアプリケータ。
【請求項２】
前記角度方向決定手段が、軸方向のｐ個のリブおよび／または溝の集合体の協働から成り、前記軸芯の外側リブ（４００）および／または外側溝（４０１）と呼ばれる、軸方向のｐ個のリブおよび／または溝の集合体が、各エレメントＥi（５）の前記中央孔（５０）の内部に形成された、内側リブ（５００）および／または内側溝（５０１）と呼ばれる、相補的な、軸方向のｐ個のリブおよび／または溝からなる集合体と協働し、前記リブおよび／または溝が３６０°／ｐの角度だけ軸（１０）に対する角度間隔を有していることで、前記束（４１）のすべてのエレメントＥi（５）が、ｐ個の可能な角度位置αj（ｊは１からｐ）から選択された異なる角度位置αijにしたがって方向付けられるようになっている、請求項１に記載のアプリケータ。
【請求項３】
束（４１）が、中央部分Ｃ（５１）および／または周縁部分Ｐ（５２）が異なるエレメント（５）Ｅ1およびＥ2で交互に形成される、請求項１または請求項２に記載のアプリケータ。
【請求項４】
エレメントＥ（５）の周縁部分Ｐ（５２）が、３６０°／ｎに等しい角度だけ軸に対して規則的に角度間隔を有している、ｎ個の放射状の突起（５３）の集合体を構成するか、あるいは形成する、請求項１〜請求項３のいずれか一つに記載のアプリケータ。
【請求項５】
放射状の突起の数ｎが、異なる角度位置の数ｐと同一であり、この数ｎが６から２４である、請求項４に記載のアプリケータ。
【請求項６】
放射状の突起（５３）の集合体（５４）が対称な集合体（５４ａ）であり、ｎ個の放射状の突起（５３）がすべて同一であり、エレメントＥ（５）がｎ段階の回転対称性を示す、請求項４または請求項５に記載のアプリケータ。
【請求項７】
集合体（５４）が非対称な集合体（５４ｂ）であり、ｎ個の放射状の突起（５３）はすべてが同一ではないためエレメントＥ（５）がｎ段階の回転対称性を示すことがない、請求項４または請求項５に記載のアプリケータ。
【請求項８】
集合体（５４）が、傾斜した集合体（５４ｃ）であり、エレメントの周縁部分のｎ個の放射状の突起のうち少なくとも一つが、水平面（１１）の外側に位置するかまたは方向付けられており、軸との間に９０°ではない、６０°から１２０°までの角度βを形成する、請求項４〜請求項７のいずれか一つに記載のアプリケータ。
【請求項９】
エレメントＥ（５）の周縁部分（５２）のｎ個の放射状の突起（５３）の集合体（５４）の少なくとも一部において、放射状の突起（５３）が交互になっており、一つの突起が軸との間に９０°より大きく、９０°から１２０°の角度を形成し、隣接する突起が軸との間に９０°より小さい、６０°から９０°の角度を形成することで、交互になっている集合体（５４ｄ）を形成するようになっている、請求項４〜請求項７のいずれか一つに記載のアプリケータ。
【請求項１０】
エレメントＥ（５）の周縁部分（５２）のｎ個の放射状の突起（５３）の集合体が、軸方向の集合体（５４ｅ）であり、放射状の突起（５３）が軸（１０）を含む軸方向の平面において比較的小さな厚みを有している、請求項４〜請求項７のいずれか一つに記載のアプリケータ。
【請求項１１】
エレメントＥi（５）の数Ｎが８から３０である、請求項１〜請求項１０のいずれか一つに記載のアプリケータ。
【請求項１２】
束（４１）が１０ｍｍから５０ｍｍの高さＨを有し、該高さＨが中央部分Ｃi（５１）の軸方向の厚みＥCの合計に対応し、前記中央部分Ｃi（５１）が軸方向の同一の厚みＥCを有するとき、前記高さＨが積Ｎ×ＥCに等しい、請求項１〜請求項１１のいずれか一つに記載のアプリケータ。
【請求項１３】
突起の集合体の少なくとも一つの放射状の突起が柔軟な突起（５３ｄ）であり、該柔軟な突起（５３ｄ）が、面の中央部分との接合を形成する基部から、軸から最も離れた端部まで減少していく、軸方向および／または水平方向の厚みを有しているか、あるいは、接合部分を形成する、薄くなっていく部分を有している、請求項４〜請求項１２のいずれか一つに記載のアプリケータ。
【請求項１４】
柔軟な突起（５３ｄ）が水平方向に柔軟な突起であり、水平方向の厚みＥTが、中央部分（５１）との接合を形成する基部（５３０）から、軸（１０）からの最も離れた端部（５３１）にかけて減少する、請求項１３に記載のアプリケータ。
【請求項１５】
柔軟な突起（５３ｄ）が軸方向に柔軟な突起であり、軸方向の厚みＥAが、中央部分（５１）との接合を形成する基部（５３０）から、軸（１０）から最も離れた端部（５３１）にかけて減少する、請求項１３または請求項１４に記載のアプリケータ。
【請求項１６】
放射状の突起（５３）が、軸方向の上面（５３２）および／または下面（５３３）に、少なくとも一つのくり抜かれた部分（５３４）を有し、それにより、塗布手段（４）による化粧品の保持量を増やし、かつ／または、軸方向の突起（５３）の柔軟性を高めるようになっている、請求項４〜請求項１５のいずれか一つに記載のアプリケータ。
【請求項１７】
エレメントＥ（５）が成型または機械加工によって形成されたプラスチック製の部品である、請求項１〜請求項１６のいずれか一つに記載のアプリケータ。
【請求項１８】
軸芯（４０）および軸ロッド（３）が、硬い、プラスチック材料で成型された一つの部品を形成し、前記軸ロッドと前記軸芯との接合部が肩部（３３）を形成し、該肩部が、束（４１）の第一のエレメントＥ1（５）の上方にある止め部を構成することで、軸方向の組立手段の上方部分を形成するようになっている、請求項１〜請求項１７のいずれか一つに記載のアプリケータ。
【請求項１９】
軸芯（４０）が下方端部（４３）に、最後のエレメントＥN（５）の下方にある止め部を形成し、該下方の止め部が、束（４１）を軸方向に不可逆的に軸芯（４０）にはめ込むことを可能にする放射状のエレメント（４３ａ）を有しており、それにより、軸方向に組み立てる手段の下方部分を形成している、請求項１〜請求項１８のいずれか一つに記載のアプリケータ。
【請求項２０】
軸芯（４０）が上方部分に、組み立てのためのスリーブ（４４）を有し、該スリーブが、軸ロッド（３）の下方部分にある止め穴（３２）と協働し、軸芯（４０）が下方端部（４３）で、最後のエレメントＥN（５）の下方にある止め部を形成し、該下方の止め部が、束（４１）の下方の止め部つまり下方の歯止めを形成する放射状のエレメント（４３ｂ）を有する、請求項１〜請求項１７のいずれか一つに記載のアプリケータ。
【請求項２１】
エレメントＥ（５）が、水平面に対して対称でないことから非対称なエレメントＥ’であり、従って、軸に対してエレメントＥ’が回転することで、エレメントＥ’に重ねることができないエレメントＥ’Rとなり、それにより、同一のエレメントＥ’から多数の異なるアプリケータを形成することができる、請求項１〜請求項２０のいずれか一つに記載のアプリケータ。
【請求項２２】
束（４１）が、二つの連続するエレメント（５）が媒介部品Ｉによって隔てられている束（４１’）であり、該媒介部品が、エレメント（５）の中央部分（５１）の横断面とほぼ同様の横断面を有する、請求項１〜請求項２１のいずれか一つに記載のアプリケータ。
【請求項２３】
媒介部品が軸方向に圧縮可能な部品である、請求項２２に記載のアプリケータ。
【請求項２４】
可能な角度位置の数ｐが５以上である、請求項２に記載のアプリケータ。
【請求項２５】
可能な角度位置の数ｐが６から２４である、請求項２４に記載のアプリケータ。
【請求項２６】
請求項１〜請求項２５のいずれか一つに記載のアプリケータ（１）の製造方法であり、
１）エレメントＥ（５）の複数のモデルＭk（ｋは１から１０である）を、プラスチック材料の成型によって供給または製造し、
２）軸芯（４０）を備えた成型部品を、プラスチック材料の成型によって供給または製造し、
３）Ｎ個のエレメントＥ（５）の集合体の束（４１）を形成し、その際、該束におけるｉ列目の各エレメントＥiについて、そのｉ列目についてｋ個のモデルＭから選択されたモデルＭikに関して、そしてｐ個の可能な角度方向αjから選択された異なる角度方向αijに関して選択する製造方法。
【請求項２７】
Ｎ個のエレメントＥ（５）の集合体の束（４１）を、形成してから軸芯（４０）と一体にする、請求項２６に記載の方法。
【請求項２８】
束（４１）が、一度に１０〜１００の束を同時に形成することを可能にする装置（７）によって、自動的かつ高い生産速度で形成され、該装置（７）が、束のｉ列目のエレメントＥiについて所定のモデルＭikを選択し、該モデルを所定の角度方向αijにしたがって方向付けるための手段を用いて、ｋ個のモデルＭを供給することを含み、前記束（４１）が、軸芯（４０）に直接形成されるか、あるいは、形成されてから軸芯（４０）に組み付けられる、請求項２６または請求項２７に記載の方法。
【請求項２９】
前記装置（７）が制御装置（７０）を備え、該制御装置が、束（４１）に関する情報を保存するのに適したコンピュータのメモリを有し、束（４１）の各エレメントＥiが、とりわけモデルＭkのタイプおよびその角度方向αjによって決定される、請求項２８に記載の方法。
【請求項３０】
請求項１〜請求項２５のいずれか一つに記載のアプリケータ（１）または請求項２６〜請求項２９のいずれか一つに記載の方法によって得られるアプリケータ（１）と、化粧品の容器を形成するボディ（６０）とから成るアプリケータディスペンサ（６）であり、前記ボディ（６０）が、塗布手段の絞り部（６２）を備えた首部（６１）を有し、アプリケータ（１）の把持手段（２）が、ねじることによって前記首部（６１）と協働して該首部を密閉することに適しているキャップ（２’）を形成する、アプリケータディスペンサ。
【請求項３１】
アプリケータ（１）を備えるアプリケータユニットであり、
該アプリケータ（１）は、
ａ）化粧品を入れるための容器（６０）のキャップ（２’）を形成する把持手段（２）、
ｂ）軸（１０）を有する軸ロッド（３）、
ｃ）化粧品の塗布手段（４）、
を含み、前記軸ロッド（３）がその上方部分（３０）で前記把持手段（２）と一体になっており、下方部分（３１）で前記塗布手段（４）と一体になっており、
前記塗布手段（４）が、軸ロッド（３）の下方部分（３１）で軸ロッド（３）と一体になっている軸芯（４０）と、該軸芯（４０）を通すことができる孔（５０）を中央に有しそれによって軸芯（４０）と協働する、Ｎ個のエレメントの集合体の束（４１）とを備え、該束（４１）が、軸方向の組立手段によって、軸方向に軸芯（４０）と一体になっており、
１）前記軸芯（４０）および前記エレメントＥ（５）の集合体が、軸（１０）に直角な水平面（１１）における、軸（１０）に対するエレメントＥ（５）の角度方向を決定する手段と協働し、それにより、前記束（４１）におけるｉ列目の各エレメントＥi（５）（ｉは１からＮ）が回転しながら前記軸芯（４０）と一体になっており、軸芯（４０）に対して所定の角度方向αiを有し、
該アプリケータユニットが、少なくとももう一つのエレメントＥ’の集合体をさらに備え、
エレメントＥの束（４０）を備えた前記アプリケータ（１）の軸方向の組立手段が可逆的な手段であり、それにより、束Ｅ（４０）の少なくとも一部を、束Ｅ（４０）とは異なる束Ｅ’（４０’）の少なくとも一部と置き換えることができる、アプリケータユニット。
【請求項３２】
束のエレメントＥi（５）が、軸方向の組立手段と角度方向決定手段を形成するための、軸芯（４０）と協働する中央部分Ｃ（５１）と、少量の化粧品を確実に取り出すことに適した周縁部分Ｐ（５２）とを備えている、請求項３１に記載のアプリケータユニット。
【請求項３３】
束（４１）のすべてのエレメントＥi（５）が、同一の中央部分Ｃi（５１）と同一の周縁部分Ｐi（５２）を有している、請求項３２に記載のアプリケータユニット。
【請求項３４】
束（４１）のすべてのエレメントＥiが同一の中央部分Ｃi（５１）を有し、束（４１）の少なくとも二つのエレメントＥ（５）が、固有の形状および／または角度方向が異なる周縁部分Ｐ（５２）を有する、請求項３２に記載のアプリケータユニット。
【請求項３５】
束（４１）の少なくとも二つのエレメントＥ（５）が同一の中央部分Ｃ（５１）も同一の周縁部分Ｐ（５２）も有していない、請求項３２に記載のアプリケータユニット。
【発明の詳細な説明】
【技術分野】
【０００１】
本発明は、化粧品のアプリケータ、典型的には、たとえばマスカラのような目を化粧するための化粧品のアプリケータの分野に関するものである。
【背景技術】
【０００２】
既に多数のマスカラのアプリケータが知られている。これらのアプリケータは、マスカラを保存する部分を形成する容器と協働するようになっており、典型的には、
ａ）前記容器を密閉し、前記アプリケータの把持手段となるキャップと、
ｂ）軸ロッドと、
ｃ）ブラシ、
から成り、前記軸ロッドはその一方の端部で前記キャップと、他方の端部で前記ブラシと一体になっており、前記ブラシは複数の毛を一体にする金属製の捻り部分を有している。
【０００３】
ブラシに関しては、非常に多くのブラシの態様が知られている。
【０００４】
たとえば、以下のフランス特許に記載されたブラシが知られている。仏国特許第２５０５６３３号明細書、仏国特許第２６０５５０５号明細書、仏国特許第２６０７３７２号明細書、仏国特許第２６０７３７３号明細書、仏国特許第２６２７０６８号明細書、仏国特許第２６２７３６３号明細書、仏国特許第２６３７４７１号明細書、仏国特許第２６３７４７２号明細書、仏国特許第２６５０１６２号明細書、仏国特許第２６６３８２６号明細書、仏国特許第２６６８９０５号明細書、仏国特許第２６７５３５５号明細書、仏国特許第２６８５８５９号明細書、仏国特許第２６９０３１８号明細書、仏国特許第２７０１１９８号明細書、仏国特許第２７０６７４９号明細書、仏国特許第２７１５０３８号明細書、仏国特許第２７４５４８１号明細書、仏国特許第２７４８９１３号明細書、仏国特許第２７４９４８９号明細書、仏国特許第２７４９４９０号明細書、仏国特許第２７５３６１４号明細書、仏国特許第２７５５５９３号明細書、仏国特許第２７７４２６９号明細書、仏国特許第２７９６５３１号明細書、仏国特許第２７９６５３２号明細書、仏国特許第２８００５８６号明細書である。
【０００５】
また、米国特許第４７３３４２５号明細書、米国特許第４８６１１７９号明細書、米国特許第５３５７９８７号明細書、米国特許第５５９５１９８号明細書、米国特許第６２４１４１１号明細書、米国特許第６４２７７００号明細書に記載されているブラシも知られている。
【０００６】
また、たとえば本出願人によって出願された仏国特許第２８６８２６４号明細書に記載されているように、プラスチック材料で成型された部品で形成されているマスカラのアプリケータも知られている。
【０００７】
また、たとえば実開昭５５−１７２１０７号公報や、米国特許第６３４５６２６号明細書および米国特許出願公開第２００２／００５９９４２号明細書に記載されているように、ディスク状のエレメントの束を備えたアプリケータも知られている。
【特許文献１】仏国特許第２８６８２６４号明細書
【特許文献２】実開昭５５−１７２１０７号公報
【発明の開示】
【発明が解決しようとする課題】
【０００８】
プラスチック材料で成型された部品で形成されるアプリケータが、従来のブラシを利用することに対する優れた代替物となることができた場合であっても、該アプリケータはいくつかの問題を有する。
【０００９】
実際、
−一方では、射出成型は非常にコストの高い射出成形金型の製造を必要とし、これは、大量生産品を商品化できることが保証されている場合にのみ正当性があるものであり、
−他方では、とりわけ鋳型の製造期間を考慮すると、このようなアプリケータの製造時間は非常に長い。
【００１０】
したがって、特に化粧品の剤形の進歩ならびに利用者の要求にアプリケータを適合させるために、一回の生産量が少なくまた製品の寿命が短いためにいっそう利益を生むことが難しい、高価な鋳型の製造を実施することなく、非常に多様なアプリケータを速く製造できるようにすることが必要である。
【課題を解決するための手段】
【００１１】
本発明によると、典型的にはマスカラである化粧品のアプリケータは、
ａ）化粧品を入れるための容器のキャップを典型的に形成する把持手段、
ｂ）軸の印を有する軸ロッド、
ｃ）化粧品の塗布手段、
から成り、前記軸ロッドはその上方部分で前記把持手段と一体になっており、下方部分で前記塗布手段と一体になっている。
【００１２】
このアプリケータにおいて、塗布手段は、軸ロッドの下方部分で軸ロッドと一体になっている軸芯と、該軸芯を通すことができる孔を典型的には中央に有しそれによって軸芯と協働する、Ｎ個のエレメントの集合体の束とを備え、該束は、軸方向の組立手段によって、軸方向に軸芯と一体になっているものであり、
１）前記エレメントが全体的に回転対称性のないエレメントＥであること、
２）前記軸芯およびエレメントＥの集合体が、軸の印に直角な水平面における、軸の印に対するエレメントＥの角度方向を決定する手段と協働し、それにより、前記束におけるｉ列目の各エレメントＥｉ（ｉは１からＮ）が回転しながら前記軸芯と一体になっており、軸芯に対して所定の角度方向αｉを有すること、
を特徴としている。
【発明の効果】
【００１３】
このアプリケータによって課題が解決される。実際、本明細書の以下の部分でより明らかになるように、これにより、アプリケータの製造者が、非常に限定された数のエレメントＥに基づいて要求に見合った非常に多様なアプリケータを製造することが可能となり、そしてそれはとりわけ、各エレメントＥの角度方向を前記束におけるその列ｉに応じて変えることで可能となる。
【００１４】
本発明の好ましい実施態様によると、前記角度方向決定手段は、軸方向のｐ個のリブおよび／または溝の集合体の協働から成り、前記軸芯の外側リブおよび／または外側溝と呼ばれる、軸方向のｐ個のリブおよび／または溝の集合体は、各エレメントＥｉの前記中央孔の内部に形成された、内側リブおよび／または内側溝と呼ばれる、相補的な、軸方向のｐ個のリブおよび／または溝からなる集合体と協働し、前記リブおよび／または溝が３６０°／ｐの角度だけ軸の印に対する角度間隔を有していることで、前記束のすべてのエレメントＥｉが、ｐ個の可能な角度位置αｊ（ｊは１からｐ）から選択された異なる角度位置αｉｊにしたがって方向付けられるようになっている。軸方向のリブおよび／または溝の数ｐは、十分な数の可能な角度方向を得られるように、好適には５以上であり、好ましくは、ｐは６から２４である。
【発明を実施するための最良の形態】
【００１５】
すべての図面は本発明に関するものである。
【００１６】
図１ａ〜図１ｄはアプリケータ（１）の塗布手段（４）における束（４１）のエレメントＥ（５）に関する図である。
図１ａおよび図１ｂは同一のエレメントＥ（５）に関するものであり、該エレメントは、軸の印に対して規則的に並び放射状の突起の集合体（５４、５４ａ）を形成している、１２個の放射状の突起（５３）を有している。
図１ａは側方からの斜視図である。
図１ｂは上面図である。
図１ｃおよび図１ｄは同一のエレメントＥ（５）に関するものであり、該エレメントは、エレメントＥ（５）の中央の水平面（１１）の上方へ向けられた突起（５３、５３ｂ）と、この面（１１）の下方に向けられた突起（５３、５３ｃ）とを有している。
図１ｃは側面図である。
図１ｄは側方からの斜視図である。
図１ｅは束（４１）の一部における二つの連続するエレメント（５）および（５’）の突起（５３）の交差を示しており、点線で表示されたエレメント（５’）の突起（５３ｃ）は下方を向き、影をつけた面で表示されたエレメント（５）の上方へ向けられた突起（５３ｂ）と角度がずれている。
【００１７】
図２ａ〜図２ｄは本発明のもう一つの態様を表している。
図２ａはアプリケータ（１）の一部の側方からの斜視図であり、該アプリケータの塗布手段（４）は束（４１）を形成する同一の１２個のエレメントＥ（５）を有している。
図２ｂは束（４１）のエレメントＥ（５）の斜視図である。
図２ｃはアプリケータ（１）の一部の軸方向の断面図である。
図２ｄは軸の印（１０）に直角な水平面における、図２ｃのＣ−Ｃによる断面図である。
【００１８】
図３ａ〜図３ｃは図１ｅの水平面Ｅ−Ｅにしたがった部分的な横断面であり、軸芯（４０）に対するエレメントＥ（５）の角度方向を決定する手段（４２）の３つの態様を表している。
図３ａでは、軸芯（４０）は、典型的には軸方向の溝である外側溝（４０１）を備え、中央孔（５０）の内部に形成された内側リブ（５００）と協働する。
逆に、図３ｂでは、軸芯（４０）は、典型的には軸方向のリブである外側リブ（４００）を備え、中央孔（５０）の内部に形成された内側溝（５０１）と協働する。
図３ｃでは、軸芯（４０）は連続した外側リブ（４００）と外側溝（４０１）を備え、該リブおよび溝は、各エレメントＥ（５）の中央孔（５０）の内部に形成されている、連続した内側溝（５０１）と内側リブ（５００）と協働する。
【００１９】
図４ａ〜図４ｆは、前記軸芯（４０）がロッド（３）と一体鋳造の部品を形成する軸芯（４０ａ）である場合を表しており、該軸芯（４０ａ）は柔軟な周辺部分（４３０ａ）を有する端部（４３、４３ａ）を有しており、それにより、束（４１）を軸方向のはめ込みによって軸芯（４０ａ）に組み付けることが可能である。
図４ａは、２２個のエレメント（５）の束（４１）を有するアプリケータ（１）の一部の軸方向の断面図である。
図４ｂは図４ａの水平面Ａ−Ａにおける部分的な横断面図である。
図４ｃは軸方向の平面で示した、エレメント（５）の断面図である。
図４ｄは、図４ｃの水平面Ｃ−Ｃにおける、図４ｃのエレメント（５）の部分的な横断面図である。
図４ｅは、軸ロッド（３）の下方端部（３１）で軸ロッド（３）と一体になっている軸芯（４０、４０ａ）の、軸方向の断面図である。
図４ｆは、図４ｅの水平面Ｅ−Ｅにしたがった、図４ｅの軸芯（４０、４０ａ）の横断面図であり、各エレメントＥ（５）が８個の異なる角度位置αのいずれかをとることができる場合を表している。
【００２０】
図５ａ〜図５ｆは本発明のその他の実施態様を表している。
図５ａはエレメントＥ（５）の軸方向の断面図であり、該エレメントの周縁部分（５２）は傾斜し、軸の印（１０）と９０°とは異なる角度βを形成することで、傾斜した（５４ｃ）突起の集合体（５４）から成る束（４１）を形成するようになっている。
図５ｂは図５ａのエレメントＥ（５）の上面図である。
図５ｃは図５ｂに類似しており、エレメントＥ（５）を示しており、該エレメントの放射状の突起（５３）の一つが、典型的には硬い放射状の突起（５３ｅ）であることにより、クシの歯を形成しており、他の突起は柔軟な突起（５３ｄ）である。
図５ｄは、図５ｃの軸方向の平面Ｃ−Ｃにしたがった、図５ｃにおける二つのエレメントＥ（５）の束の部分的な軸方向の断面を示している。
図５ｅは、端部に示された硬い突起（５３ｄ）が軸方向に並び、すべてのエレメントＥ（５）が同一の角度方向で互いに上下に重ねられている場合を概略的に表している。
図５ｆは図５ｅに類似しており、端部に示された硬い突起（５３ｄ）がらせんを形成し、すべてのエレメントＥ（５）が、３６０°／ｐの角度に対応する角度αずつ角度を増加して、互いに上下に重ねられている場合を表している。
図５ｇは、軸方向の断面で、異なった二つのエレメントＥ（５）が交互になっている束（４１）の一部を表している。
図５ｈは図５ｇに類似しており、別の態様を表しており、該態様によると、エレメントＥ（５）の一つが、複数のくり抜かれた部分（５３４）を有する周縁部分（５２）を備えている。
図５ｉは図５ｈのエレメント（５）のＨ−Ｈでの横断面図である。
【００２１】
図６ａ〜図６ｅは、図４ａ〜図４ｆに示された態様とは異なるアプリケータの態様を表している。
この態様において、軸芯（４０）は、ロッド（３）と組み立てるためのスリーブ（４４）を形成する上方部分を有する軸芯（４０ｂ）であり、前記ロッド（３）はこの目的のために下方端部（３１）に止め穴（３２）を備えている。
図６ａは図４ａに類似している。
図６ｂは、軸方向の断面において、ロッド（３）と組み立てる前の、束（４１）を前記軸芯（４０ｂ）に組み立てることによって形成されたサブユニットを表している。
図６ｃは、軸方向の断面において、図６ｂのサブユニットとの組み立てのために止め穴（３２）を備えている、前記ロッド（３）の下方端部（３１）を表している。
図６ｄは軸方向の断面において前記軸芯（４０ｂ）を表しており、この芯は、典型的には中央部分Ｃ（５１）とほぼ同様の横断面を有した下方端部（４３、４３ｂ）を有しており、それにより、矢印で示しているように、スリーブ（４４）を形成している上方部分にエレメントＥ（５）を通すことで、束（４１）が前記軸芯（４０ｂ）に組み込まれる。
図６ｅは、軸方向の断面において、前記軸芯（４０ｂ）に組み込む直前の、前記軸芯（４０ｂ）に対する前記束（４１）を表している。
【００２２】
図７ａ〜図７ｃは本発明によるエレメントＥ（５）のその他の態様を表している。
図７ａは軸方向の断面においてエレメントＥ（５）を示しており、該エレメントの周縁部分（５２）は角度βだけ傾斜しており、各放射状の突起（５３）は、典型的には、中央部分（５１）の高さＥＣより低い軸方向の高さを有する基部または下端（５３０）を有している。
図７ｂおよび図７ｃは類似しており、３つのエレメントＥ（５）からなる束（４１）の一部の二つのタイプを示している。
図７ｂでは、束（４１）は同一のエレメントＥ（５）の規則的な束（４１ａ）であるのに対し、図７ｃでは交互になっており、エレメントＥ（５）が１８０°回転していることで交互になった束（４１ｂ）を形成しており、全く異なる塗布手段を形成している。
【００２３】
図８ａ〜図８ｅは本発明によるエレメントＥ（５）のもう一つの態様を表しており、該態様は、軸方向の平面における厚みが小さい放射状の突起（５３）の、軸方向の集合体（５４ｅ）から成る。
図８ａは上面図である。
図８ｂは軸方向の断面図である。
図８ｃは側面図である。
図８ｄは放射状の突起（５３）の端部（５３１）の図である。
図８ｅは２つのエレメントＥ（５）の束（４１）の一部の側面図であり、一方が他方に対して４５°回転している。
【００２４】
図９ａおよび図９ｂはそれぞれ、軸方向の断面において、本発明によるアプリケータ（１）と、図９ａのアプリケータ（１）を備えたアプリケータディスペンサ（６）を示している。
【００２５】
図１０は、図６ａ〜図６ｅの態様にしたがったアプリケータ（１）を自動的に製造するための装置（７）を概略的に示す部分的な図である。
この方法によると、束（４１）の構造をコンピュータのメモリに入力し、この束のｉ列目における各エレメントＥｉは、例示したＭＡ〜ＭＤの４つのモデルから選択されるその性質すなわちモデル、そしてその固有の方向αｉによって定義される。
この図に概略的に示されているように、エレメントＥｉはまず選択され、次に方向を決定され、その後軸芯（４０、４０ａ、４０ｂ）に通される。
この方法の変形例によると、束（４１）がまず形成され、次に、軸芯（４０、４０ａ、４０ｂ）に一体で組み付けることもできる。
【００２６】
図１１は、図１０に類似しており、束（４１）が、二つの連続するエレメント（５）が媒介部品Ｉ（８）によって隔てられている束（４１’）である場合を表しており、該媒介部品Ｉ（８）はいくつかのタイプ（ＩＡ、ＩＢ、ＩＣ）から選択することができる。
【００２７】
発明の詳細な説明
本発明によると、角度方向決定手段は、軸方向のｐ個のリブおよび／または溝の集合体による協働から成ることができ、軸芯（４０）の軸方向のｐ個の外側リブ（４００）および／または外側溝（４０１）の集合体は、各エレメントＥｉ（５）の中央孔（５０）の内側に形成された、軸方向の相補的なｐ個の内側リブ（５００）および／または内側溝（５０１）の集合体と協働し、前記リブおよび／または溝は、３６０°／ｐの角度だけ軸の印（１０）に対する角度間隔を有していることで、束（４１）のすべてのエレメントＥｉ（５）を、ｐ個の可能な角度位置αｊ（ｊは１からｐ）から選択された異なる角度位置αｉｊにしたがって方向付けることが可能になる。
【００２８】
各エレメント（５）と軸芯（４０）との回転しながらの結合は、とりわけ図３ａ〜図３ｃおよび図４ｂに示されている。
【００２９】
軸方向のリブおよび／または溝の数ｐは、十分な数の可能な角度方向を得るために、好適には５以上である。数ｐは好ましくは６から２４であり、より特徴的には１０から１８である。
【００３０】
たとえば図１ｅおよび図４ｃに示されているように、束のエレメントＥｉ（５）は、軸方向の組立手段と角度方向決定手段を形成するための、軸芯（４０）と協働する、典型的には環状である、Ｃｉで示される中央部分Ｃ（５１）と、少量の化粧品を確実に取り出すことに適した、Ｐｉで示される周縁部分Ｐ（５２）とを備えることができる。
【００３１】
典型的には、束（４１）のすべてのエレメントＥｉ（５）は、同一の中央部分Ｃｉ（５１）と同一の周縁部分Ｐｉ（５２）を有することができる。実際、軸芯（４０）は一般的に、その高さの全体にわたって一定の横断面を有している。
【００３２】
本発明の一つの態様によると、束（４１）のすべてのエレメントＥｉは同一の中央部分Ｃｉ（５１）を有することができ、束（４１）の少なくとも二つのエレメントＥ（５）は、固有の形状および／または角度方向が異なる周縁部分Ｐ（５２）を有している。
【００３３】
しかし、図５ｇおよび図５ｈに示されているように、束（４１）の少なくとも二つのエレメントＥ（５）は同一の中央部分Ｃ（５１）も同一の周縁部分Ｐ（５２）も有していなくてもよい。
【００３４】
本発明のもう一つの実施態様によると、束（４１）は、中央部分Ｃ（５１）および／または周縁部分Ｐ（５２）が異なるエレメント（５）Ｅ１およびＥ２で交互に形成することができる。
【００３５】
たとえば図１ｂおよび図５ｂに示されているように、エレメントＥ（５）の周縁部分Ｐ（５２）は、典型的には３６０°／ｎに等しい角度だけ軸の印に対して規則的に角度間隔を有している、ｎ個の放射状の突起（５３）の集合体を構成するか、あるいは形成することができる。
【００３６】
放射状の突起の数ｎは異なる角度位置の数ｐと同一とすることができ、この数ｎは６から２４であり、好ましくは１０から１８である。
【００３７】
図１ｂに示されているように、放射状の突起（５３）の集合体（５４）は対称な集合体（５４ａ）とすることができ、ｎ個の放射状の突起（５３）はすべて同一であり、エレメントＥ（５）はｎ段階の回転対称性を示す。
【００３８】
図５ｃに示されているように、集合体（５４）は非対称な集合体（５４ｂ）とすることができ、ｎ個の放射状の突起（５３）はすべてが同一というわけではないため、エレメントＥ（５）がｎ段階の回転対称性を示すことがない。
【００３９】
図５ａおよび図５ｂに示されているように、集合体（５４）は傾斜した集合体（５４ｃ）とすることができ、エレメント（５）の周縁部分（５２）のｎ個の放射状の突起（５３）のうち少なくとも一つが、水平面（１１）の外側に位置するかあるいは方向付けられ、９０°ではない、６０°から１２０°までの角度βを形成する。
【００４０】
図１ｃおよび図１ｄに示されているように、エレメントＥ（５）の周縁部分（５２）のｎ個の放射状の突起（５３）の集合体（５４）の少なくとも一部は、放射状の突起（５３）を交互にすることができ、一つの突起が軸の印との間に９０°より大きく、典型的には９０°から１２０°の角度を形成し、隣接する突起が軸の印との間に９０°より小さく、典型的には６０°から９０°の角度を形成することで、交互になっている集合体（５４ｄ）を形成するようになっている。
【００４１】
図８ａ〜図８ｅに示されているように、エレメントＥ（５）の周縁部分（５２）のｎ個の放射状の突起（５３）の集合体は、軸方向の集合体（５４ｅ）とすることができ、放射状の突起（５３）は軸の印（１０）を含む軸方向の平面において比較的小さな厚みを有している。
【００４２】
本発明によると、エレメントＥｉ（５）の数Ｎは８から３０とすることができ、典型的には１２から２４である。
【００４３】
図４ａに示されているように、束（４１）は典型的には１０ｍｍ〜５０ｍｍの高さＨを有することができ、該高さＨは中央部分Ｃｉ（５１）の軸方向の厚みＥＣの合計に対応し、前記中央部分Ｃｉ（５１）が軸方向の同一の厚みＥＣを有するとき、前記高さＨは積Ｎ×ＥＣに等しい。
【００４４】
突起の集合体の少なくとも一つの放射状の突起は柔軟な突起（５３ｄ）とすることができ、該柔軟な突起（５３ｄ）は、面の中央部分との接合を形成する基部から、軸の印から最も離れた端部にかけて減少していく、軸方向および／または水平方向の厚みを有しているか、あるいは、接合部分を形成する、薄くなっていく部分を有している。
【００４５】
前記柔軟な突起（５３ｄ）は水平方向に柔軟な突起とすることができ、水平方向の厚みＥＴは、典型的には、中央部分（５１）との接合を形成する基部（５３０）から、軸の印（１０）から最も離れた端部（５３１）にかけて減少し、軸方向の厚みＥＡは場合によっては一定のままである。しかし、図８ａに示されているように、この厚みＥＴは、放射状の突起（５３）の十分な柔軟性を保証できるほどに十分に小さければ、突起の放射方向の長さ全体にわたってほぼ一定のままにすることもできる。
【００４６】
図７ａでは、前記柔軟な突起（５３ｄ）は軸方向に柔軟な突起であり、軸方向の厚みＥＡは、中央部分（５１）との接合を形成する基部（５３０）から、軸の印（１０）から最も離れた端部（５３１）にかけて減少し、水平方向の厚みＥＴは場合によっては一定のままである。
【００４７】
図５ｉでは、放射状の突起（５３）は、典型的には軸方向の上面（５３２）および／または下面（５３３）に、少なくとも一つのくり抜かれた部分（５３４）を有し、それにより、塗布手段（４）による化粧品の保持量を増加させる、かつ／または、軸方向の突起（５３）の柔軟性を高めることができる。
【００４８】
本発明によると、エレメントＥ（５）は成型または機械加工によって形成されたプラスチック製の部品とすることができる。
【００４９】
図４ａ〜図４ｆに示されているように、軸芯（４０）および軸ロッド（３）は、典型的には硬い、プラスチック材料で成型された一つの部品とすることができ、前記軸ロッドと前記軸芯との接合部が肩部（３３）を形成し、該肩部が、束（４１）の第一のエレメントＥ１（５）の上方にある止め部を構成することによって、軸方向の組立手段の上方部分を形成するようになっている。このプラスチック製の成型部品は典型的には一体鋳造の部品である。
【００５０】
この場合、軸芯（４０）は下方端部（４３）に、最後のエレメントＥＮ（５）の下方にある止め部を形成することができ、前記下方の止め部は、典型的には、束（４１）を軸方向に不可逆的に軸芯（４０）へとはめ込むことを可能にする放射状のエレメント（４３ａ）を有しており、それにより、軸方向の組立手段の下方部分を形成している。
【００５１】
もう一つの実施態様によると、また、図６ａ〜図６ｅに示されているように、軸芯（４０）は上方部分に、組み立てのためのスリーブ（４４）を有することができ、該スリーブは、軸ロッド（３）の下方部分（３１）にある止め穴（３２）と協働し、軸芯（４０）は下方端部（４３）で、最後のエレメントＥＮ（５）の下方にある止め部を形成し、該下方の止め部は、典型的には、束（４１）の下方の止め部つまり下方の歯止めを形成する放射状のエレメント（４３ｂ）を有する。
【００５２】
図７ａ〜図７ｃに示されているように、エレメントＥ（５）は、水平面に対して対称でないことから非対称なエレメントＥ’とすることができ、従って、軸の印に対してエレメントＥ’が回転することで、エレメントＥ’に重ねることができないエレメントＥ’Ｒとなり、それにより、同一のエレメントＥ’から多数の異なったアプリケータを形成することができる。
【００５３】
実際、たとえば、図７ｂの束の部分がＥ’−Ｅ’−Ｅ’と記載することができるのに対し、図７ｃの束の部分はＥ’−Ｅ’Ｒ−Ｅ’と記載することができる。したがって、エレメントＥ’とＥ’Ｒを組み合わせることで非常に多数の異なった構造を得ることが可能である。
【００５４】
束（４１）は、二つの連続するエレメント（５）が媒介部品Ｉ（８）によって隔てられている束（４１’）とすることができ、該媒介部品Ｉ（８）は、典型的には、エレメント（５）の中央部分（５１）の横断面とほぼ同様の横断面を有している。
【００５５】
この媒介部品（８）は連続する二つのエレメントＥｉおよびＥｉ＋１の間に配置された挿入部品である。この媒介部品（８）は軸方向に圧縮可能な部品とすることができる。
【００５６】
図１１に示しているように、さまざまなタイプの媒介部品（８）を利用することができる。
【００５７】
本発明のもう一つの目的は、本発明によるアプリケータ（１）の製造方法から構成される。
【００５８】
この方法において、
１）エレメントＥ（５）の少なくとも一つのモデルＭ、典型的にはエレメントＥ（５）の複数のモデルＭｋ（ｋは典型的には１から１０）と、場合によっては媒介部品Ｉ（８）の少なくとも一つのモデルとを、プラスチック材料の成型によって供給または製造し、
２）軸芯（４０）と場合によっては軸ロッドとを備えた成型部品を、プラスチック材料の成型によって供給または製造し、
３）Ｎ個のエレメントＥ（５）の集合体の束（４１）を形成し、その際、該束におけるｉ列目の各エレメントＥｉについて、そのｉ列目についてｋ個のモデルＭから選択されたモデルＭｉｋに関して、そしてｐ個の可能な角度方向αｊから選択された異なる角度方向αｉｊに関して、そして場合によっては、非対称のエレメントＥ’ｉの場合には方向に関して選択する。
【００５９】
Ｎ個のエレメントＥ（５）の集合体の束（４１）は、形成してから軸芯（４０）と一体にすることができる。
【００６０】
束（４１）は、一度に１０〜１００の束を同時に形成することを可能にする装置（７）によって、自動的かつ高い生産速度で形成することができ、該装置（７）は、束のｉ列目のエレメントＥｉについて所定のモデルＭｉｋを選択し、該モデルを所定の角度方向αｉｊにしたがって方向付けるための手段を用いて、ｋ個のモデルＭを供給することを含み、前記束（４１）は、軸芯（４０）に直接形成されるか、あるいは、形成されてから軸芯（４０）に組み付けられる。
【００６１】
図１０に示されているように、前記装置（７）は制御装置（７０）を備え、該制御装置は、典型的には、束（４１）に関する情報を保存するのに適したコンピュータのメモリを有し、束（４１）の各エレメントＥｉは、とりわけモデルＭｋのタイプとその角度方向αｊによって決定される。
【００６２】
本発明のもう一つの目的は、本発明によるアプリケータ（１）または本発明による方法によって得られるアプリケータと、化粧品の容器を形成するボディ（６０）とから成るアプリケータディスペンサ（６）であり、前記ボディ（６０）は、典型的には塗布手段の絞り部（６２）を備えた首部（６１）を有し、アプリケータ（１）の把持手段（２）は、ねじることによって前記首部（６１）と協働して該首部を密閉することに適しているキャップ（２’）を形成する。
【００６３】
このようなアプリケータディスペンサ（６）は図９ｂに示されている。
【００６４】
本発明のもう一つの目的はアプリケータのユニットによって構成されるものであり、該ユニットは、本発明によるアプリケータ（１）または本発明による方法によって得られるアプリケータと、少なくとももう一つのエレメントＥ’の集合体とから成り、エレメントＥの束（４０）を備えた前記アプリケータ（１）の軸方向の組立手段は可逆的な手段であり、それにより束Ｅ（４０）の少なくとも一部を、束Ｅ（４０）とは異なる束Ｅ’（４０’）の少なくとも一部と交換することができる。
【００６５】
このように、とりわけすべての利用者はブラシの構造をその時の必要性に応じて適合化させることができることになる。
【００６６】
すべての図面が実施例を構成している。エレメントＥ（５）はＰＥ、ＰＰまたはエラストマーで成型されている。
【００６７】
あらゆる種類のアプリケータに対して絶えず高まっている要求に直面する中で、本発明によって、化粧品の利用者の要求に応えるために非常に多様なアプリケータを産業的に製造することが可能となる。
あらゆる要求に素早く応える必要性に直面する中で、本発明によるアプリケータを高い生産速度で製造する可能性を考慮すれば、本発明によって産業的な対応がもたらされ、このことは、限られた数のアプリケータを製造する場合にも同様である。
【図面の簡単な説明】
【００６８】
【図１ａ】軸の印に対して規則的に配置された１２個の放射状の突起を有しているエレメントＥの、側方からの斜視図。
【図１ｂ】軸の印に対して規則的に配置された１２個の放射状の突起を有しているエレメントＥの上面図。
【図１ｃ】水平面（１１）の上方へ向けられた突起と、この面の下方に向けられた突起とを有しているエレメントＥの側面図。
【図１ｄ】水平面（１１）の上方へ向けられた突起と、この面の下方に向けられた突起とを有しているエレメントＥの、側方からの斜視図。
【図１ｅ】束の一部における二つの連続するエレメント（５）および（５’）の突起の交差を示している図。
【図２ａ】アプリケータの一部の側方からの斜視図。
【図２ｂ】エレメントＥの斜視図。
【図２ｃ】アプリケータの一部の軸方向の断面図。
【図２ｄ】軸の印（１０）に直角な水平面における、図２ｃのＣ−Ｃによる断面図。
【図３ａ】軸芯の外側溝とエレメントの内側リブとの協働を示した図。
【図３ｂ】軸芯の外側リブとエレメントの内側溝との協働を示した図。
【図３ｃ】軸芯の連続した外側リブおよび外側溝と、エレメントＥの連続した内側溝および内側リブとの協働を示した図。
【図４ａ】２２個のエレメントの束を有するアプリケータの一部の軸方向の断面図。
【図４ｂ】図４ａの水平面Ａ−Ａにおける部分的な横断面図。
【図４ｃ】軸方向の平面で示した、エレメントの断面図。
【図４ｄ】図４ｃの水平面Ｃ−Ｃにおける、図４ｃのエレメントの部分的な横断面図。
【図４ｅ】軸ロッドの下方端部で軸ロッドと一体になっている軸芯の、軸方向の断面図。
【図４ｆ】各エレメントＥが８個の異なる角度位置αのいずれかをとることができる場合の、図４ｅの水平面Ｅ−Ｅにしたがった、図４ｅの軸芯の横断面図。
【図５ａ】周縁部分が傾斜し、軸の印（１０）と９０°とは異なる角度βを形成している、エレメントＥの軸方向の断面図。
【図５ｂ】図５ａのエレメントＥの上面図。
【図５ｃ】放射状の突起の一つが、典型的には硬い、放射状の突起（５３ｅ）であり、他の突起は柔軟な突起（５３ｄ）である、エレメントＥを示した図。
【図５ｄ】図５ｃの軸方向の平面Ｃ−Ｃにしたがった、図５ｃにおける二つのエレメントＥの束の部分的な軸方向の断面図。
【図５ｅ】硬い突起（５３ｄ）が軸方向に並び、すべてのエレメントＥが同一の角度方向で互いに上下に重ねられている場合を概略的に表した図。
【図５ｆ】硬い突起（５３ｄ）がらせんを形成し、すべてのエレメントＥが、３６０°／ｐの角度に対応する角度αずつ角度を増加して、互いに上下に重ねられている場合を表した図。
【図５ｇ】異なった二つのエレメントＥが交互になっている束の一部を表した、軸方向の断面図。
【図５ｈ】複数のくり抜かれた部分を有する周縁部分を備えているエレメントＥを示した図。
【図５ｉ】図５ｈのエレメントのＨ−Ｈでの横断面図。
【図６ａ】２２個のエレメントの束を有するアプリケータの一部の軸方向の断面図。
【図６ｂ】軸ロッドと組み立てる前の、束を軸芯に組み立てることによって形成されたサブユニットを表した、軸方向の断面図。
【図６ｃ】止まり穴を備えている軸ロッドの下方端部を表した、軸方向の断面図。
【図６ｄ】軸芯を表した、軸方向の断面図。
【図６ｅ】軸芯に組み込む直前の、軸芯に対する束を表した、軸方向の断面図。
【図７ａ】周縁部分が角度βだけ傾斜した、エレメントＥの軸方向の断面図。
【図７ｂ】同一のエレメントＥの規則的な束を示した図。
【図７ｃ】エレメントＥが１８０°回転していることで交互になった束を示した図。
【図８ａ】軸方向の平面での厚みが小さい放射状の突起を有するエレメントＥの上面図。
【図８ｂ】軸方向の平面での厚みが小さい放射状の突起を有するエレメントＥの、軸方向の断面図。
【図８ｃ】軸方向の平面での厚みが小さい放射状の突起を有するエレメントＥの側面図。
【図８ｄ】放射状の突起の端部を示した図。
【図８ｅ】エレメントＥの一方が他方に対して４５°回転している束の一部の側面図。
【図９ａ】本発明によるアプリケータの軸方向の断面図。
【図９ｂ】図９ａのアプリケータを備えたアプリケータディスペンサの、軸方向の断面図。
【図１０】図６ａ〜図６ｅの態様にしたがったアプリケータを自動的に製造するための装置を概略的に示す部分的な図。
【図１１】二つの連続するエレメントＥが媒介部品Ｉによって隔てられている場合の、アプリケータを自動的に製造するための装置を概略的に示す部分的な図。
【符号の説明】
【００６９】
アプリケータ  １
軸の印  １０
１０に直角な水平面  １１
把持手段  ２
キャップ  ２’
軸ロッド  ３
上方部分  ３０
下方部分  ３１
４４と協働する止め穴  ３２
止め部を形成する肩部  ３３
塗布手段  ４
軸芯  ４０、４０ａ、４０ｂ
軸方向の外側リブ  ４００
軸方向の外側溝  ４０１
エレメントＥ、Ｅ’の束  ４１、４１’
同一のエレメントＥの束  ４１ａ
異なったエレメントＥの束  ４１ｂ
４０〜４１の角度方向決定手段  ４２
４０の下方端部  ４３、４３ａ、４３ｂ
４０〜４３を組み立てるためのスリーブ  ４４
エレメントＥ  ５
中央孔  ５０
軸方向の内側リブ  ５００
軸方向の内側溝  ５０１
中央部分Ｃ  ５１、５１ａ
周縁部分Ｐ  ５２
５２の放射状の突起  ５３
１１の方向に向けられている突起  ５３ａ
１１の上方へ向けられている突起  ５３ｂ
１１の下方へ向けられている突起  ５３ｃ
柔軟な突起  ５３ｄ
硬い突起  ５３ｅ
５３の基部  ５３０
５３の端部  ５３１
軸方向の上面  ５３２
軸方向の下面  ５３３
くり抜かれた部分  ５３４
突起５３の集合体  ５４
対称な集合体  ５４ａ
非対称な集合体  ５４ｂ
傾斜した集合体  ５４ｃ
交互になっている集合体  ５４ｄ
軸方向の集合体  ５４ｅ
アプリケータディスペンサ  ６
６のボディ  ６０
６０の首部  ６１
絞り部  ６２
自動装置  ７
制御装置  ７０
媒介部品Ｉ  ８
【図１ａ】
0005427347.tif 000002
【図１ｂ】
0005427347.tif 000003
【図１ｃ】
0005427347.tif 000004
【図１ｄ】
0005427347.tif 000005
【図１ｅ】
0005427347.tif 000006
【図２ａ】
0005427347.tif 000007
【図２ｂ】
0005427347.tif 000008
【図２ｃ】
0005427347.tif 000009
【図２ｄ】
0005427347.tif 000010
【図３ａ】
0005427347.tif 000011
【図３ｂ】
0005427347.tif 000012
【図３ｃ】
0005427347.tif 000013
【図４ａ】
0005427347.tif 000014
【図４ｂ】
0005427347.tif 000015
【図４ｃ】
0005427347.tif 000016
【図４ｄ】
0005427347.tif 000017
【図４ｅ】
0005427347.tif 000018
【図４ｆ】
0005427347.tif 000019
【図５ａ】
0005427347.tif 000020
【図５ｂ】
0005427347.tif 000021
【図５ｃ】
0005427347.tif 000022
【図５ｄ】
0005427347.tif 000023
【図５ｅ】
0005427347.tif 000024
【図５ｆ】
0005427347.tif 000025
【図５ｇ】
0005427347.tif 000026
【図５ｈ】
0005427347.tif 000027
【図５ｉ】
0005427347.tif 000028
【図６ａ】
0005427347.tif 000029
【図６ｂ】
0005427347.tif 000030
【図６ｃ】
0005427347.tif 000031
【図６ｄ】
0005427347.tif 000032
【図６ｅ】
0005427347.tif 000033
【図７ａ】
0005427347.tif 000034
【図７ｂ】
0005427347.tif 000035
【図７ｃ】
0005427347.tif 000036
【図８ａ】
0005427347.tif 000037
【図８ｂ】
0005427347.tif 000038
【図８ｃ】
0005427347.tif 000039
【図８ｄ】
0005427347.tif 000040
【図８ｅ】
0005427347.tif 000041
【図９ａ】
0005427347.tif 000042
【図９ｂ】
0005427347.tif 000043
【図１０】
0005427347.tif 000044
【図１１】
0005427347.tif 000045